(57)【要約】【課題】アナウンスの内容変更等によりアナウンス再生時間長が変更される場合であっても、アナウンス同士が時間的に重ならないようにするためのプログラム変更が煩雑にならずに容易に行えるエレベータのアナウンスシステムを得る。【解決手段】乗りかごの運転制御を行う制御盤からアナウンス装置へアナウンス発報指令を送信し、アナウンス装置がアナウンス発報指令に基づきアナウンス装置データテーブルに格納している音声データを選択して再生してアナウンスを行うシステムであり、アナウンス発報指令が、アナウンス同士が時間的に重複しないように、アナウンスに対応する音声データの選択と、音声データの再生によるアナウンスの再生タイミング及び再生速度のいずれかの少なくとも一方と、を指示する情報を含む。【選択図】図９
2007153503.tif 000002
【特許請求の範囲】
【請求項１】
乗りかごの運転制御を行う制御盤からアナウンス装置へアナウンス発報指令を送信し、アナウンス装置がアナウンス発報指令に基づきアナウンス装置データテーブルに格納している音声データを選択して再生してアナウンスを行うエレベータのアナウンスシステムであって、
上記アナウンス発報指令が、アナウンス同士が時間的に重複しないように、アナウンスに対応する音声データの選択と、音声データの再生によるアナウンスの再生タイミング及び再生速度の少なくともいずれか一方と、を指示する情報を含むことを特徴とするエレベータのアナウンスシステム。
【請求項２】
上記アナウンス発報指令が、アナウンス装置のデータテーブルからアナウンスに対応する音声データを選択する音声データ選択情報、現在再生中のアナウンスが再生終了後に再生を行うことを示す連続再生情報又はアナウンス発報指令を受けてから内蔵する指定待機時間待って再生することを示す待機再生情報のいずれかから成りアナウンスの再生タイミングを制御する再生タイミング情報、及び再生速度を制御する再生速度情報を含み、上記アナウンス装置が、上記アナウンス発報指令の各情報に基づき上記データテーブルからの音声データの選択、この音声データによるアナウンスの再生タイミング、再生速度の制御を行う制御手段を有することを特徴とする請求項１に記載のエレベータのアナウンスシステム。
【請求項３】
上記制御盤が、上記音声データ選択情報、再生タイミング情報及び再生速度情報からなる情報を多数格納する制御盤データテーブルを有し、上記制御盤データテーブルが専用装置を接続して直接データの書き換えが可能なメモリからなることを特徴とする請求項１又は２に記載のエレベータのアナウンスシステム。
【請求項４】
上記制御盤データテーブルがＲＡＭからなることを特徴とする請求項３に記載のエレベータのアナウンスシステム。
【発明の詳細な説明】
【技術分野】
【０００１】
この発明は、エレベータの乗りかご内等でアナウンスを行うエレベータのアナウンスシステムに関する。
【背景技術】
【０００２】
従来、この種の装置として、かごの運転制御に伴ってアナウンス条件が成立すると、メッセージを抽出してアナウンスする装置において、上記メッセージに対するアナウンス音量が設定された条件テーブルを有するアナウンス音量設定装置と、上記アナウンス条件が成立すると、上記条件テーブルに設定されたアナウンス音量で上記メッセージをアナウンスする指令を出力するメッセージ出力制御部とを備えたエレベータのアナウンス装置がある(例えば特許文献１参照)。
【０００３】
【特許文献１】特開２００３−２４６５５８号公報
【発明の開示】
【発明が解決しようとする課題】
【０００４】
上記のこの種の装置では、一般にかご上にあるメッセージ出力制御部側では、アナウンスの音声データが格納されているデータテーブルがＲＯＭであるために、それぞれアナウンスの内容、時間長が固定の複数種の音声データが、番号を付した状態で記憶され、アナウンスを行う場合には、一般にエレベータの機械室等にあるエレベータの制御盤から、メッセージ出力制御部側にアナウンスする音声データを番号で指定する信号を送ってメッセージ出力制御部でアナウンスを行わせる構成となっていた。
【０００５】
このため、乗りかごの運転制御中において、「ｎ階です」や「上に参ります」等の各階でのアナウンスタイミング、アナウンス時間長が同じ標準アナウンスについては問題ないが、案件対応(オプション)の「お待たせしました。展望階でございます。」等のアナウンス内容、タイミング、時間長が特殊な特殊アナウンスについては、アナウンス時間長が長い等の理由でアナウンス同士が時間的に重ならないようにするために、アナウンスタイミング、アナウンス時間長を考慮しながら制御盤のプログラム変更を行う必要があり、対応処理が複雑であった。またデータテーブル内のデータの追加、修正が容易には行えなかった。
【０００６】
この発明は上記の課題を解消するためになされたもので、アナウンスの内容変更等によりアナウンス再生時間長が変更される場合であっても、アナウンス同士が時間的に重ならないようにするためのプログラム変更が煩雑にならずに容易に行えるエレベータのアナウンスシステムを提供することを目的とする。
【課題を解決するための手段】
【０００７】
この発明は、乗りかごの運転制御を行う制御盤からアナウンス装置へアナウンス発報指令を送信し、アナウンス装置がアナウンス発報指令に基づきアナウンス装置データテーブルに格納している音声データを選択して再生してアナウンスを行うエレベータのアナウンスシステムであって、上記アナウンス発報指令が、アナウンス同士が時間的に重複しないように、アナウンスに対応する音声データの選択と、音声データの再生によるアナウンスの再生タイミング及び再生速度の少なくともいずれか一方と、を指示する情報を含むことを特徴とするエレベータのアナウンスシステムにある。
【発明の効果】
【０００８】
この発明では、アナウンスの内容変更等によりアナウンス再生時間長が変更される場合であっても、アナウンス同士が時間的に重ならないようにするためのプログラム変更が煩雑にならずに容易に行える。
【発明を実施するための最良の形態】
【０００９】
実施の形態１．
図１はこの発明の一実施の形態によるエレベータのアナウンスシステムの構成を示す図である。制御盤１はエレベータの昇降路上部の機械室(共に図示省略)内に設置され、制御ケーブル３を介して乗りかご４に接続されている。制御盤１からは制御ケーブル３を介して乗りかご４の上に配置されたアナウンス装置５にアナウンス発報指令２が送られる。アナウンス装置５にはかご配線６によりかご内部に配置されたスピーカ７が接続され、アナウンス装置５から再生信号８が供給される。
【００１０】
図２は図１の制御盤１とアナウンス装置５の内部構造を示した図である。制御盤１は、制御盤内のＣＰＵからなる制御盤制御部１１、制御盤データテーブル１２を含む。制御盤データテーブル１２は、エレベータの仕様情報が格納されていて、エレベータの据付・調整及び保守時に例えば専用の装置を用いて現地にて直接書き換え可能な領域(ＲＡＭ等)となっている。
【００１１】
アナウンス装置５は、アナウンス装置内のＣＰＵからなるアナウンス装置制御部５１、アナウンス装置データテーブル５２、音声信号増幅器５３を含む。音声信号増幅器５３はアナウンス装置制御部５１が発信した音声信号５４を増幅し、スピーカ７へ供給する再生信号８を生成している。アナウンス装置データテーブル５２は制御盤データテーブル１２とは異なり、エレベータ出荷時にのみ書き換え可能な領域(ＲＯＭ又はＯＴＰＲＯＭ等)で、据付・調整及び保守時には書き換えることができない。
【００１２】
図３はアナウンス装置データテーブル５２の内部データ構造の一例を示したもので、左列はアドレス、右列はアドレスに対応する音声データを表している。アドレス０００１〜０００Ａはアナウンス装置５が標準的に装備している標準アナウンスを表し、アドレス０００Ｂ〜０００Ｆはオプション等による案件対応で製作した特殊アナウンスを表している。
【００１３】
この発明では、音声データが記憶されているアドレスを指定する音声データ選択情報に加えてアナウンスの発報タイミングや再生速度すなわち音声データの再生タイミングや再生速度を指定する情報を使用するが、最初にこれらの情報がない場合について図４〜６に従って説明する。
【００１４】
図４はアナウンスの発生タイミングや再生速度を指定する情報がない場合の、制御盤データテーブル１２のアナウンスに関する内部データ情報の例を示すもので、図３のアドレスを指定する音声データ選択情報（アドレス）のみにより構成されている。この情報は制御盤制御部１１により、乗りかご４の運転制御時に乗りかご４の運転位置等に従ってそれぞれの時点で所望のものが選択され、アナウンス発報指令２としてアナウンス装置制御部５１に伝送される。例えば、この情報が０００１の場合、アナウンス装置データテーブル５２の中から「上に参ります」という音声データが選択され、０００６の場合は、「２階です」という音声データが選択される。
【００１５】
図５はアナウンスの再生タイミングや再生速度の情報がない場合の、アナウンス装置制御部５１の動作を説明するためのフローチャートで、制御盤データテーブル１２に格納されている多数の図４に示す音声データ選択情報から選択されて制御盤制御部１１から発信されたアナウンス発報指令２（音声データ選択情報）を受信したときに(ステップＳ１)、再生中のアナウンスがある場合はこれを無視し(ステップＳ２→Ｓ３)、再生中のアナウンスがない場合は、アナウンス発報指令２（音声データ選択情報）に対応した音声データをアナウンス装置データテーブル５２から選択し音声信号５４を発報する(ステップＳ２→Ｓ４)という論理になっている。
【００１６】
図６はアナウンスの再生タイミングや再生速度の情報がない場合の、乗りかご４の運転制御(エレベータ動作)とアナウンス発報指令２のタイミング、データ構造及びアナウンスの長さ（時間）の関係を表している。図６の上部は乗りかご４の運転制御を速度（縦軸）と時間（横軸）で表したグラフでエレベータがある階からある階まで上方向に走行したときの速度と時間の関係を表している。図６下部のケース１〜ケース３はアナウンス発報指令２のタイミング、データ構造及びアナウンスの長さ（時間）を表した図である。
【００１７】
アナウンス発報指令２は機械室に設置された制御盤１内部にある制御盤制御部１１から制御ケーブル３を通して乗りかご４の上部に設置されたアナウンス装置５へ送信される。アナウンス装置５内部のアナウンス装置制御部５１は、アナウンス発報指令２に基づきアナウンス装置データテーブル５２の中から該当する音声データを選択し、音声信号５４を発信する。音声信号５４は音声信号増幅器５３によって増幅され再生信号８が生成され、再生信号８は、かご配線６を介してかご内部に設置されたスピーカ７から再生される。
【００１８】
図６のケース１は、標準プログラムに装備されている階床アナウンス「２階です」と方向アナウンス「上に参ります」を発報するアナウンス発報指令２のタイミング、データ内容とアナウンスの長さ（時間）とを表していて、それぞれのアナウンスは上述の動作で再生される。「２階です」の左上の「０００６」と矢印は、このタイミングに制御盤制御部１１から音声データ選択情報「０００６」を持ったアナウンス発報指令２が送信されていることを表している。
【００１９】
ここで、ケース１の標準アナウンスに対して案件対応(オプション)で日本語＋英語アナウンスを再生するように客先から要求があった場合、日本語＋英語アナウンスは標準的には準備されていないため、「２階です」の後に「２ｎｄ．ｆｌｏｏｒ」と続く特殊アナウンス「２階です／２ｎｄ．ｆｌｏｏｒ」などを案件対応で製作する必要がある。ここでは図３のアドレス０００Ｂ〜０００Ｆに案件対応で製作した特殊アナウンスを格納している。
【００２０】
ケース２は日本語＋英語の特殊アナウンスとして製作した「２階です／２ｎｄ．ｆｌｏｏｒ」と「上に参ります／Ｇｏｉｎｇ  ｕｐ」を標準プログラム（ケース１）と同じタイミングで発報したケースを表している。「２階です／２ｎｄ．ｆｌｏｏｒ」という特殊アナウンスが標準アナウンス「２階です」より長くなったため、アナウンスの再生が終わる前に次のアナウンス「上に参ります／Ｇｏｉｎｇ  ｕｐ」が発報されてしまっている。
【００２１】
このような場合、図５のフローチャートによるとアナウンスの再生中に次のアナウンスの発報指令がくると後から来たアナウンス発報指令は無視されるという論理があるため、「上に参ります／Ｇｏｉｎｇ  ｕｐ」というアナウンスは再生されなくなってしまう。両方のアナウンスを再生させるためには、いずれかのアナウンスの発報タイミングを標準位置からシフトしアナウンスが重ならないように制御盤制御部１１内のプログラムを変更する必要がある。
【００２２】
ケース３は、両方のアナウンスを再生するために「２階です／２ｎｄ．ｆｌｏｏｒ」の発報タイミングを標準位置より手前の位置にシフトするよう制御盤制御部１１内のプログラム変更をしたケースを表している。
【００２３】
このように、アナウンスの再生タイミングや再生速度の情報がない場合、各々のアナウンスの時間長、発報指令タイミングを考慮して制御盤制御部１１内のプログラムを変更する必要があり、案件対応の処理が非常に大変かつ煩雑となる。さらに、案件対応で特殊アナウンスを設計し据付完了後に不具合が発覚した場合、制御盤制御部内のアナウンスプログラムを再度設計し直すのに、非常に煩雑な作業が必要であった。
【００２４】
これに対して、図７にはこの発明のアナウンスの再生タイミングや再生速度の情報を追加した場合の、制御盤データテーブル１２のアナウンスに関する内部データ情報のデータ構造の例を示す。本データは音声データ選択情報だけでなく、タイミング情報及び速度情報が付加されている。再生タイミング情報は、連続再生情報か待機再生情報のいずれかから成り、例１は再生タイミング情報が連続、再生速度情報が無効、音声データ選択情報が０００１であることを表し、例２は再生タイミング情報が待機時間１.２秒、再生速度情報が無効、音声データ選択情報が０００２であることを表し、例３は再生タイミング情報が無効、再生速度情報が１.２倍速、音声データ選択情報が０００３であることを表している。
【００２５】
図８はこの発明のアナウンス装置制御部５１の動作を説明するためのフローチャートである。制御盤データテーブル１２に格納されている情報から選択されて制御盤制御部１１から発信されたアナウンス発報指令２は前述の通り、図７に示すように再生タイミング情報、再生速度情報、音声データ選択情報により構成されており、フローチャートでは、まず最初に制御盤制御部１１から発信されたアナウンス発報指令２を受信したときに(ステップＳ１)、再生タイミング情報の有効無効を判断する(ステップＳ２)。再生タイミング情報が有効な場合は、引き続き再生タイミング情報が連続再生情報なのか待機再生情報なのかを判断する(ステップＳ３)。連続再生情報とはそれが有効な場合、現在再生中のアナウンスが終了するまで待機し、アナウンス再生終了後に連続して次のアナウンスを再生するという指令で(ステップＳ７→Ｓ８→Ｓ９→Ｓ１０→Ｓ１１又はＳ１２)、待機再生情報とは、アナウンス発報指令２受信後、そこに格納されている待機時間が満了するまで待機した後にアナウンスを再生する(ステップＳ４→Ｓ５→Ｓ９→Ｓ１０→Ｓ１１又はＳ１２)という指令を表している。
【００２６】
再生タイミング情報が無効で前のアナウンスの再生が終了していない場合(ステップＳ２→Ｓ５)、及び待機時間満了まで待機しても前のアナウンスの再生が終了していない場合(ステップＳ２→Ｓ３→Ｓ４→Ｓ５)は、今回のアナウンス発報指令２は無視される(ステップＳ６)。
【００２７】
アナウンス発報指令２が無視されなかった場合(ステップＳ６に到達した場合以外)は、音声データ選択情報に対応する音声データがアナウンス装置データテーブル５２から選択され、最後に再生速度情報の有効無効を判断する(ステップＳ１０)。無効の場合は、標準の再生速度でアナウンスを再生し(ステップＳ１１)、有効の場合はそこに格納されている再生速度で音声データすなわちアナウンスが再生される(ステップＳ１２)。その他の構成は上記説明と同じである。
【００２８】
また、図９はこの発明のアナウンスシステムを用いた場合の、乗りかご４の運転制御(エレベータ動作)とアナウンス発報指令２のタイミング、データ構造及びアナウンスの長さ（時間）の関係を表している。図９を用いてこの発明における標準アナウンスの構成、案件対応の特殊アナウンスの対応ついて説明する。
【００２９】
図９のケース１は、標準アナウンスプログラムに装備されている階床アナウンス「２階です」と方向アナウンス「上に参ります」のアナウンス発報指令２のタイミング、データ構造と各アナウンスの再生開始タイミング及び長さを表している。
再生タイミング情報：１.２秒、
再生速度情報：無効、
音声データ選択情報：０００６の「２階です」のアナウンス発報指令２は、
乗りかご４の運転制御における停止決定（エレベータが次の階で停止することが決定した時間）のタイミングで制御盤制御部１１から送信されるが、待機時間が１.２秒であるため再生開始タイミングは図６の場合と同じになっている。同じく、
再生タイミング情報：０.３秒、
再生速度情報：無効、
音声データ選択情報：０００１の「上に参ります」のアナウンス発報指令２は、
図６の場合とは異なり、戸開き開始のタイミングで制御盤制御部１１から送信されるが、待機時間が０.３秒であるため再生開始タイミングは図６の場合と同じになっている。
【００３０】
次に、ケース１の標準アナウンスに対して、案件対応で日本語＋英語アナウンスを再生するように客先から要求があった場合の対応方法についてケース２に基づいて以下に説明する。日本語＋英語アナウンスは標準的には準備されていないが日本語アナウンス「２階です」及び「上に参ります」、英語アナウンス「２ｎｄ．ｆｌｏｏｒ」及び「Ｇｏｉｎｇ  ｕｐ」は標準アナウンスとして存在するのでケース２では、これらのメッセージを連続再生して対応している。標準の再生開始タイミングで「２階です」「２ｎｄ．ｆｌｏｏｒ」を連続再生すると「上に参ります」と重なってしまうため、「２階です」アナウンス発報指令のタイミング情報を１.２秒から０.５秒に変更して再生開始タイミングを早めている。すなわち、
再生タイミング情報：０．５秒、
再生速度情報：無効、
音声データ選択情報：０００６の「２階です」のアナウンス発報指令２
を停止決定のタイミングで送信している。
【００３１】
続いて、
再生タイミング情報：連続、
再生速度情報：無効、
音声データ選択情報：０００９の「２ｎｄ．ｆｌｏｏｒ」のアナウンス発報指令２
を送信することにより、「２ｎｄ．ｆｌｏｏｒ」アナウンスは「２階です」アナウンスの終了まで待機した後で再生されるため、「２階です」「２ｎｄ．ｆｌｏｏｒ」を連続して再生することができる。ここで「２ｎｄ．ｆｌｏｏｒ」アナウンス発報指令２を制御盤制御部１１から送信するタイミングは、「２階です」アナウンスが再生中であれば、いつでも良い。
【００３２】
次に標準と全く同様に「上に参ります」アナウンス発報指令を送信し、
再生タイミング情報：連続、
再生速度情報：無効、
音声データ選択情報：０００５の「Ｇｏｉｎｇ  ｕｐ」のアナウンス発報指令２
を送信することにより、「Ｇｏｉｎｇ  ｕｐ」アナウンスは「上に参ります」アナウンスの終了まで待機した後で再生されるため、「上に参ります」「Ｇｏｉｎｇ  ｕｐ」を連続して再生することができる。「Ｇｏｉｎｇ  ｕｐ」アナウンス発報指令２を制御盤制御部１１から送信するタイミングは「上に参ります」アナウンスの再生中であれば、いつでも良い。
【００３３】
ケース３、ケース４は「お待たせしました。展望階でございます」という非常に長いアナウンスを要求された場合の対応方法について例示している。ケース３では、
再生タイミング情報：無効、
再生速度情報：無効、
音声データ選択情報：０００Ｂの「お待たせしました。展望階でございます。」のアナウンス発報指令２
を停止決定のタイミングで送信した例を表している。この例では「お待たせしました。展望階でございます」というアナウンスが長すぎるため、アナウンス再生を開始しても良い最も早いタイミングである停止決定から再生を開始しても「上に参ります」という次のアナウンスと重なってしまい「上に参ります」アナウンスを再生できなかった状態を表している。
【００３４】
このような場合は、ケース４のように
再生タイミング情報：無効、
再生速度情報：１.４倍速、
音声データ選択情報：０００Ｂの「お待たせしました。展望階でございます」のアナウンス発報指令２
を送信し再生速度を１.４倍にすることで再生時間長が短くなり、次のアナウンスと重ならないようにすることが可能である。再生速度情報については、再生したときの音声が聞き取り可能で、あまり不自然な印象を与えない程度の速度にするよう注意が必要である。
【００３５】
このように制御盤からアナウンス装置へ送信するアナウンス発報指令に、音声データ選択情報だけでなく、アナウンスすなわち音声データの再生タイミング情報、再生速度情報を付加し、アナウンス装置制御部内にそれらを判断しアナウンスの再生タイミング及び再生速度を調整できるような制御機能を組み込むことにより、案件対応の制御盤制御部(ＣＰＵ)内のプログラム作成を容易にすることが可能である。また、再生タイミング情報、再生速度情報及び音声データ選択情報から構成されるアナウンス発報指令情報は、制御盤データテーブルに格納されていて、専用の装置を用いて現地にて直接書き換え可能であるため、エレベータ据付時にアナウンス再生状況を確認し、不具合があった場合等、制御盤制御部内のプログラムを変更しなくても、据付現場にて、ある程度、容易に調整することが可能であるといった効果もある。
【図面の簡単な説明】
【００３６】
【図１】この発明の一実施の形態によるエレベータのアナウンスシステムの構成を示す図である。
【図２】図１の制御盤とアナウンス装置の内部構造を示した図である。
【図３】この発明によるエレベータのアナウンスシステムのアナウンス装置データテーブルの内部データ構造の一例を示した図である。
【図４】一般的なこの種のシステムにおける制御盤データテーブルのアナウンスに関する内部データ情報の一例を示す図である。
【図５】一般的なこの種のシステムにおけるアナウンス装置制御部の動作の一例を説明するためのフローチャートである。
【図６】一般的なこの種のシステムにおける乗りかごの運転制御(エレベータ動作)とアナウンス発報指令のタイミング、データ構造及びアナウンスの長さ（時間）の関係を説明するための図である。
【図７】この発明によるエレベータのアナウンスシステムにおける制御盤データテーブルのアナウンスに関する内部データ情報の一例を示す図である。
【図８】この発明によるエレベータのアナウンスシステムにおけるアナウンス装置制御部の動作の一例を説明するためのフローチャートである。
【図９】この発明によるエレベータのアナウンスシステムにおける乗りかごの運転制御(エレベータ動作)とアナウンス発報指令のタイミング、データ構造及びアナウンスの長さ（時間）の関係を説明するための図である。
【符号の説明】
【００３７】
１  制御盤、２  アナウンス発報指令、３  制御ケーブル、４  乗りかご、５  アナウンス装置、６  かご配線、７  スピーカ、８  再生信号、１１  制御盤制御部、１２  制御盤データテーブル、５１  アナウンス装置制御部、５２  アナウンス装置データテーブル、５３  音声信号増幅器、５４  音声信号。
【図１】
2007153503.tif 000003
【図２】
2007153503.tif 000004
【図３】
2007153503.tif 000005
【図４】
2007153503.tif 000006
【図５】
2007153503.tif 000007
【図６】
2007153503.tif 000008
【図７】
2007153503.tif 000009
【図８】
2007153503.tif 000010
【図９】
2007153503.tif 000011